(57)【特許請求の範囲】
【請求項１】
一端縁に沿って粘着部を有するシート状の電線保護部材を組電線上に巻き付けるときに、前記電線保護部材を、前記粘着部が前記組電線の長手方向に沿うように対応させた後、前記組電線と交差する一方の辺を、前記粘着部が他端縁側に接着可能な位置まで湾曲させる湾曲状態とし、その後、前記電線保護部材を前記組電線上にて前記湾曲状態に矯正可能な略筒形状の矯正手段を、先に前記湾曲状態とした側から反対側へ電線保護部材上を移動させることにより、前記電線保護部材の全体を前記湾曲状態にすることを特徴とする電線保護部材の巻き付け方法。
【請求項２】
少なくとも内周面が略円筒形で、一端が組電線の外面から間隔をあけて該外面を囲むことができる大径内面を有し、該大径内面から他端に向かって連続し、前記組電線の直径に近づくように徐々に絞り込まれた小径内面を有する電線保護部材の巻き付け治具。
【請求項３】
治具円周方向に対して略直交する縦方向の分割縁を有し、該分割縁の開閉を可能とするヒンジ部を有することを特徴とする請求項２に記載の電線保護部材の巻き付け治具。
【請求項４】
前記分割縁には、該分割縁同士の係合を維持するロック機構を有することを特徴とする請求項２または３に記載の電線保護部材の巻き付け治具。
【請求項５】
前記大径内面及び前記小径内面に対応して、傾斜する外面を有することを特徴とする請求項２から４のいずれかに記載の電線保護部材の巻き付け治具。
【発明の詳細な説明】
【０００１】
【発明の属する技術分野】
本発明は電線保護部材の巻き付け方法及び巻き付け治具に関し、さらに詳しくは、自動車の電装品やその他のエレクトロニクス製品などに使用されている組電線を束ねる電線保護部材の巻き付け方法及び巻き付け治具に関する。
【０００２】
【従来技術】
従来より、自動車の電装品やその他の各種エレクトロニクス製品などには、周知のごとく配線を束ねた組電線がある。たとえば自動車に用いられている電装品には点火および始動回路以外に照明、信号、警告、充電、計器、ワイパーその他多種多様な回路があり、これらの回路を結ぶ電線類は極めて多くなり、組み電線として束ねられる。また、これらの電装品を接続する電線類は、高度に発達した流れ作業を採用している自動車製造工程に適合する様に一体の部品として前もって組立てられ使用されている。
【０００３】
従来、その電線の束ね方は、電線の端部にコネクタが接続された状態あるいは配線が完了した状態において、ビニールテープや粘着テープ等の電線保護部材を電線の束に巻きつけて固定する方法が多用されている。
しかしながら、多くの場合、数十本とある電線を粘着テープで巻き付け固定する作業は手間がかかる。そこで、図６に示すような比較的幅広い電線保護部材１０が用いられている。
【０００４】
図６に示す電線保護部材１０は、その一端に辺に沿って粘着部１５が設けられた矩形状のシート部材である。そして、この電線保護部材１０を巻き付けるときは、例えば、組電線２０の端部にコネクタ３０が取り付けられた状態において、先ず、図６の（ａ）に示すごとく、電線保護部材１０を、その粘着部１５が組電線２０の長手方向に沿うように対応させ、その後、図６の（ｂ）に示すように、粘着部１５設けられていない側の辺１２を先に巻き付けるように曲げ、該辺１２を押さえながら粘着部１５が設けられた側の辺１１を重ね合わせるようにし、最後に、辺１１に沿った部分の全域を手で上から擦るようにする。
このような操作によって、電線保護部材１０は、粘着部１５により、両辺１１、１２が接続され、図６の（ｃ）に示すように、場合によってはシワ１９等ができるものの、組電線２０を適宜束ねるとともに、所定な長さを保護できるように装着される。
【０００５】
この種の電線保護部材としては、種々の形態のものが提案されている。例えば、実開昭５４- １５９１７９号公報には、“一方端部と他端部とを嵌着して筒形にして電線束を束ねる電線集合体”が、実開昭５８- ８１９９０号公報には、“ビニールシート等のカバー素材の両端縁を重ね合わせて電線に巻回して、該電線を束ねるカバー部材”が、実開昭６０- ２１１１４号公報には、“熱収縮性フイルムの一端に粘着剤層を設けて電線束を束ねる結束用フイルム”が記載されている。
【０００６】
【発明が解決しようとする課題】
しかしながら、実開昭５４- １５９１７９号公報に記載された技術においては、端部同士の嵌着構造であるので、部材自身の構造が複雑なること、組電線の束の太さごとに合わせたサイズの電線保護部材が必要となるなど、極めて不経済である。
また、実開昭５８- ８１９９０号公報に記載された技術においては、図６に示した部材と同様に、比較的幅のあるシート状の電線保護部材を電線に巻き付ける作業であることから、電線長さ方向の長さが大きくなればなる程（保護領域が長い程）図１の（ｃ）に示すようなシワ１９等の巻ムラが発生し易く、巻き付け作業に多大な時間要する。特に、外気が低温の場合には、電線ならびに電線保護部材が硬化することから、巻き付け作業は極めて困難であった。
また、実開昭６０- ２１１１４号公報に記載された技術においては、熱収縮性のフィルムに素材が限定されるだけでなく、加熱工程とういう極めて面倒な作業工程を必要とし、また、加熱手段を必要とするなど、作業環境が限定される等の問題を抱えている。
【０００７】
本発明は、上記問題点に鑑みてなされたものであり、電線を束ねて組上げる際に、比較的長い領域を覆う電線保護部材であっても、巻きムラの発生を抑えることができ、巻き付けが容易にできる電線保護部材の巻き付け方法及び巻き付け治具を提供することを目的とする。
【０００８】
【課題を解決するための手段】
本発明に係る電線保護部材の巻き付け方法は、一端縁に沿って粘着部を有するシート状の電線保護部材を組電線上に巻き付けるときに、前記電線保護部材を、前記粘着部が前記組電線の長手方向に沿うように対応させた後、前記組電線と交差する一方の辺を、前記粘着部が他端縁側に接着可能な位置まで湾曲させる湾曲状態とし、その後、前記電線保護部材を前記組電線上にて前記湾曲状態に矯正可能な略筒形状の矯正手段を、先に前記湾曲状態とした側から反対側へ電線保護部材上を移動させることにより、前記電線保護部材の全体を前記湾曲状態にすることを特徴とし、これにより上記目的を達成することができる。
【０００９】
本発明に係る電線保護部材の巻き付け治具は、少なくとも内周面が略円筒形で、一端が組電線の外面から間隔をあけて該外面を囲むことができる大径内面を有し、該大径内面から他端に向かって連続し、前記組電線の直径に近づくように徐々に絞り込まれた小径内面を有することを特徴とし、これにより上記目的を達成することができる。
【００１０】
また、本発明に係る上記電線保護部材の巻き付け治具において、
・治具円周方向に対して略直交する縦方向の分割縁を有し、該分割縁の開閉を可能とするヒンジ部を有すること、
・前記分割縁には、該分割縁同士の係合を維持するロック機構を有すること、
・前記大径内面及び前記小径内面に対応して、傾斜する外面を有すること、
を特徴とする。
【００１１】
そして、本発明に係る上記電線保護部材の巻き付け方法によれば、一端縁に沿って粘着部を有するシート状の電線保護部材を組電線上に巻き付けるときに、前記一端縁を前記組電線に沿わせ、且つ前記組電線と交差する一方の辺において前記粘着部が他端縁に貼り付き可能な湾曲状態となることで、組電線上に巻き付けるための、巻き付け開始部分が形成される。
その後、前記電線保護部材を組電線を軽く包み込むような形状に湾曲させることのできる略筒形状の矯正手段（巻き付け治具）を、巻き付け開始部分側から該開始部分側とは反対側へ電線保護部材上を移動させる。この動作により、電線保護部材は、前記一端縁と他端縁とが巻き付け開始部分側から徐々に重なり合う湾曲状態（接着可能な位置まで湾曲した状態）となって行き、最終的に、電線保護部材全体を前記湾曲状態とすることができる。
【００１２】
また、本発明に係る上記電線保護部材の巻き付け治具によれば、一端が組電線の外面から間隔をあけて該外面を囲むことができる大径内面により、該大径内面側を先方にして移動させたときに、前記巻き付け開始部分側から、電線保護部材を該大径内面の内側に導入することができ、更に、この大径内面から他端に向かって連続しかつ徐々に絞り込まれた小径内面によって、前記電線保護部材の一端縁と他端縁（両端縁とも組電線に沿った端縁）とを接着可能な位置まで湾曲させることができる。
【００１３】
また、治具円周方向に対して略直交する縦方向の分割縁を有し、かつこの分割縁の開閉を可能とするヒンジ部を有する構成により、組電線が既に接続された場合や、組電線の端部にコネクタや機器類が接続された状態でも、巻き付け治具を組電線上のどの位置にも自由に装着することができる。
【００１４】
さらに、前記分割縁に、該分割縁同士の係合を維持するロック機構を有していることにより、巻き付け治具の閉じた状態を確実に維持することができる。
【００１５】
また、大径内面及び小径内面に対応して、傾斜する外面を有する構成により、該巻き付け治具を組電線に装着して該組電線上を移動させるときに、治具外面の傾斜に手指を引っかけるように操作することができ、操作上好都合である。
【００１６】
【発明の実施の形態】
以下、本発明に係る電線保護部材の巻き付け方法及び巻き付け治具の好適な実施の形態について図１〜図５を参照して詳細に説明する。
なお、図１は、本実施の形態の巻き付け治具を示す斜視図であり、図１の（ａ）は、巻き付け治具の開いた状態を示し、（ｂ）は閉じた状態を示す。図２、図３、図４は巻き付け方法を示す工程図であり、また、図５は図３に示す巻き付け工程に対応した一部断面概略図である。
【００１７】
図１に示す巻き付け治具１は、外観（図１の（ｂ）参照）並びに内周面において先細りの略円筒形状の部材であり、一端が比較的大径の挿入口４で、他端が小径の出口５を有している。そして、内側壁面はが、挿入口４側が組電線２０（図２参照）の外面から間隔をあけて該外面を囲むことができる大径内面２を有し、この大径内面２から他端（出口端５）に向かって徐々に絞り込まれた円錐内面が形成され、該円錐内面の出口５側が小径内面３として構成されている。
【００１８】
また、巻き付け治具１は、治具円周方向に対して略直交する縦方向（中心線Ｃに沿った方向）の分割縁６、７を有し、この分割縁６、７の開閉（矢印Ｙ方向の開閉）を可能とするヒンジ部８を有する。
【００１９】
また、本実施の形態における巻き付け治具１は、その素材に関しては、特に限定されるものではないが、例えばポリエチレンテレフタレート（ＰＥＴ）あるいはポリオキシメチレン（ＰＯＭ）等の合成樹脂材により構成することができる。このように、合成樹脂材により構成されることにより、例えばヒンジ部８は単に薄肉に構成するだけでよく、製造が極めて容易である。
【００２０】
また、本実施の形態の巻き付け治具１は、分割縁６、７に、該分割縁６、７同士の係合を維持するロック機構を有している。すなわち、例えば分割縁６側の外面に突起１６が形成され、一方、分割縁７側の外面には円周方向に沿って張り出した張り出し辺１７を有し、該張り出し辺１７の内側に突起１６と嵌合する凹部（図示せず）が形成されている。このロック機構により、巻き付け治具１の閉じた状態を確実に維持することができる。
【００２１】
本実施の形態における巻き付け治具１は、前掲のごとく外観においても、先細りの円錐形状である。すなわち、該治具１の外面８が、大径内面２及び小径内面３に対応して、傾斜する外面を有している。
したがって、この巻き付け治具１を使用するとき（組電線に装着した状態で該組電線に沿ってスライド操作するとき）、外面８の傾斜構造により、該治具１を把持し易い構造となっている。
【００２２】
以下、本発明に係る電線保護部材の巻き付け方法を、図２〜図５を参照して説明する。  まず、図２の（ａ）に示すように、組電線２０の所定箇所（電線保護部材を巻き付ける位置或いはその近傍）に、巻き付け治具１を開いた状態から組電線２０を囲むように閉じて装着する（図２の（ｂ）参照）。
その後、一端縁１１に沿って粘着部１５を有する、例えば  ？    等からなるシート状の電線保護部材１０を組電線２０に沿わせる（図２の（ｂ）参照）。このとき、電線保護部材１０を、その粘着部１５が組電線２０と平行になるようにし、その後、組電線２０と交差する一方の辺１３（巻き付け治具１が装着された側の辺）を該組電線２０を軽く包むように“の”字形状にする（図３の（ｃ）及び図５の（ｃ）参照）。
このとき、“の”字形状に巻いた部分は、粘着部１５と他端縁１２とは接着していない状態である。
【００２３】
その後、“の”字形状の部分を、巻き付け治具１の挿入口４側へ押し込む（矢印Ｚ方向への移動）。そして、治具１の出口５側から露出した“の字”形状の部分を図３及び図５の（ｄ）に示す矢印Ｍ方向へ引っ張りきつく巻き付け、片端部（辺１３）を指で押さえる。
ここで、辺１３の部分は、指で押さえることにより、他端縁１２の上に一端縁１１が粘着される。
【００２４】
その後、電線保護部材１の辺１３部分を指で押さえながら、巻き付け治具１を辺１３とは逆方向（矢印Ｘ方向）へスライドさせる。このスライドにより、図５の（ｄ）に示すように、電線保護部材１は、挿入口端４側の大径内面２により半巻き状態まで湾曲され、出口端５に向かって徐々に絞り込むような傾斜した小径内面３により、徐々に“の”字形状となる。
【００２５】
また、巻き付け治具１のスライド操作のときに、該治具１の出口端５側から現れてくる電線保護部材１０のところどころ（図３及び図５の（ｅ）に示すＡ，Ｂなどの粘着部１５が設けられた部分に対応した部分）を指で押さえながら、電線保護部材１０が該治具１から完全に露出するまで（電線保護部材１の終端の辺１４が治具１を通過するまで）該治具１をスライドさせる（図４の（ｆ）の状態）。
その後、巻き付け治具１を開いて組電線２０から外し、例えば手指５０により粘着確認の意味を兼ねて、もう一度上部材裏側の粘着部１５に対応した一端縁１１全体を指で押しつける。
【００２６】
本発明に係る巻き付け治具は、必要に応じて、例えば外観形状や内周面の形状等は円錐面の一部でなくてもよく適宜変更可能であることは勿論である。
また、本発明に係る巻き付け方法は、電線保護部材の一端（辺１３）を巻き付け治具に通すとき、前掲の実施の形態においては、電線保護部材を移動するようにしたが、該治具を移動するように操作してもよいことは勿論である。
【００２７】
【発明の効果】
以上説明したように、本発明に係る電線保護部材の巻き付け方法及び巻き付け治具によれば、該巻き付け治具を使用して、電線保護部材を組電線上への最終巻き付けの直前状態までに安定してセッティングすることができるので、電線保護部材の巻き付けにバラツキ（巻きムラ）が殆どなく、短時間で済み品質、作業性が向上する。
特に、本発明に係る電線保護部材の書き付け方法及び巻き付け治具によれば、電線保護部材が長くなればなるほど（組電線を保護する部位が長くなるばなるほど）その効果は顕著であり、また、低温期において、組電線や電線保護部材が比較的硬くなった状態において顕著な効果を発揮することができる。
【図面の簡単な説明】
【図１】本発明に係る巻き付け治具の斜視図であり、（ａ）は開いた状態の斜視図、（ｂ）は閉じた状態の斜視図である。
【図２】本発明に係る電線保護部材の巻き付け方法の工程の前段を（ａ），（ｂ）の順で示す斜視図である。
【図３】本発明に係る電線保護部材の巻き付け方法の工程の中段を（ｃ），（ｄ），（ｅ）の順で示す斜視図である。
【図４】本発明に係る電線保護部材の巻き付け方法の工程の後段を（ｆ），（ｇ）の順で示す斜視図である。
【図５】本発明に係る電線保護部材の巻き付け方法の工程の中段を（ｃ），（ｄ），（ｅ）の順で示す一部断面概略図である。
【図６】従来の電線保護部材の巻き付け方法を示す概略斜視図である。
【符号の説明】
１  巻き付け治具
２  大径内面
３  小径内面
４  挿入口
５  出口
６、７  分割縁
８  ヒンジ部
９  外面
１０  電線保護部材
１１  電線保護部材の一端縁
１２  電線保護部材の他端縁
１３  巻き付け開始側の辺
１４  巻き付け終端側の辺
１５  粘着部
１６  突起
１７  張り出し片
２０  組電線
３０  コネクタ
【図１】
0003817024.tif 000002
【図２】
0003817024.tif 000003
【図３】
0003817024.tif 000004
【図４】
0003817024.tif 000005
【図５】
0003817024.tif 000006
【図６】
0003817024.tif 000007